(57)【要約】【課題】テレビのリモコン機能を有する携帯電話機の充電台にして、充電中に携帯電話機側との通信を可能にする。【解決手段】充電台１は、携帯電話機２を載置する充電台本体１１と、充電台本体１１に載置され充電状態にある携帯電話機２の赤外線送受信部２１から発射される赤外線の光軸上に設けられ携帯電話機２と通信するための赤外線送受信部１２とを備えている。  そして赤外線送受信部１２は、赤外線の光軸上の位置（実線）からの光軸外の位置（点線）に切換移動できるようになっている。即ち、充電中にテレビのリモコンとしても使用することができる。【選択図】      図２
2005073109.tif 000002
【特許請求の範囲】
【請求項１】
テレビのリモコンなどに用いる赤外線送受信部を具備した携帯電話機を充電する充電台において、前記携帯電話機を載置する充電台本体部と、前記充電台本体部に載置され充電状態にある前記携帯電話機の前記赤外線送受信部から発射される赤外線の光軸上に設けられた前記携帯電話機と通信するための充電台側赤外線送受信部とを備えることを特徴とする充電台。
【請求項２】
前記充電台側赤外線送受信部は、前記赤外線送受信部からの赤外線の光軸上の位置から光軸外の位置に移動できる切換機構を備えることを特徴とする請求項１記載の充電台。
【請求項３】
前記切換機構は、前記充電台側赤外線送受信部を前記赤外線送受信部からの赤外線の光軸上の位置から光軸外の位置に回動して移動し、それぞれ位置で自動的に弾性力により半固定される構造にすることを特徴とする請求項２記載の充電台。
【請求項４】
テレビのリモコンなどに用いる赤外線送受信部を具備した携帯電話機を充電する充電台において、前記携帯電話機を載置する充電台本体部と、前記充電台本体部に載置され充電状態にある前記携帯電話機の前記赤外線送受信部からの赤外線の光軸上に設けられた前記赤外線を前記充電台本体部の外方向と内方向とに分光させるハーフミラーと、前記ハーフミラーにより内方向に分光された赤外線の光軸上に設けられた充電台側赤外線送受信部とを備えることを特徴とする充電台。
【請求項５】
テレビのリモコンなどに用いる赤外線送受信部を具備した携帯電話機を充電する充電台において、前記携帯電話機を載置する充電台本体部と、前記充電台本体部に載置され充電状態にある前記携帯電話機の前記赤外線送受信部からの赤外線の一部を受光できるように前記赤外線の光軸周辺に設けられた充電台側赤外線送受信部とを備えることを特徴とする充電台。
【請求項６】
前記充電台本体部は、前記携帯電話機をその操作面を上にして載置可能な箱状の容器にして、載置され充電状態にある前記携帯電話機の前記赤外線送受信部からの赤外線の光軸上に前記充電台側赤外線送受信部或いは前記ハーフミラーを設置可能な構造を備えることを特徴とする請求項１，２，３，４或いは５記載の充電台。
【発明の詳細な説明】
【技術分野】
【０００１】
本発明は充電台に関し、特にテレビのリモコンなどに用いる赤外線送受信部を具備した携帯電話機を充電する充電台に関する。
【背景技術】
【０００２】
従来、この種の充電台は、充電機能のみで、最近ニーズの多い携帯電話機側とのデータ交換などを行う通信機能はなかった。この携帯電話機と充電台間の通信機能は、例えば、充電中における携帯電話機側のメモリデータのバックアップ、データ処理、携帯電話機側からの充電制御、或いは携帯電話機側から充電器を介してパソコンなどとの通信などに用いられる。特に最近の携帯電話機の内部データの保存容量は、カメラ機能の画像データなどに代表されるように飛躍的に多くなってきており、このデータの充電台、或いはパソコンなどとのやり取りは重要となってきている。
【０００３】
しかしながら、このようなテレビのリモコン機能を有しない一般の携帯電話機においては、充電台側との通信機能を有するものがある。図５はこの従来例を示す側面図である。本従来例は赤外線を含む光を用いて携帯電話機と充電器および他の端末との通信を可能にするものである。図５において、携帯機５１には、その底面の光通信用ポート（送受信口）５２を備える。充電器充電台５３には、携帯機を差込み充電する穴５４を有する。また、充電器外面に送受光窓５５を設けてある。
【０００４】
そして充電時、穴５４に差し込んだ携帯機５１の光通信用ポート５２の送受光軸を直角に屈折して送受光窓５５にガイドするミラー５６が設けられている。また、ミラー５６にハーフミラーを利用し、ハーフミラーで分光した光を充電器内に設けた光通信用ポート５７にガイドする。
【０００５】
このような構成により、携帯機５１を充電台５３に置いた状態で光通信用ポート５２殻の光をハーフミラー５６により光軸を充電器５３の正面に設けられた送受光窓５５に導き、送受光窓５５から外部機器５８との間で通信が可能となる。また、ハーフミラー５６で分光した光は充電器内の光通信用ポート５７に導かれ、携帯機５１と充電器５３との間でも光通信が可能となる。（例えば、特許文献１参照。）
【０００６】
【特許文献１】特開平１１−１２２８２２号公報（第２頁）
【発明の開示】
【発明が解決しようとする課題】
【０００７】
上述したようにテレビ用のリモコン機能付き携帯電話機用の充電台の従来例では、充電機能のみしかなく、携帯電話機側との通信機能がないという問題がある。
【０００８】
また、図５で説明した一般の携帯電話機用の充電台の従来例では、携帯電話機側の光通信用ポート（赤外線送受信部に相当）が携帯電話機の底面に設けられたものを対象にしており、従って充電器内の光通信用ポートは、これに対応する位置に設けられた構造となっている。従って赤外線送受信部が従来例とは反対の携帯電話機の先端部、即ちアンテナ側にあるテレビリモコン用の携帯電話機においては、構造的にこの充電器を使用することができないという問題がある。
【０００９】
テレビのリモコン機能を有する携帯電話機は、テレビのリモコンとして使用する場合は、操作面を上に向けて水平に持ちその先端をテレビの方に向け使用するので、赤外線送受信部はその先端部、即ち通常はアンテナ取付面に設けられている。
【００１０】
本発明の目的は、テレビのリモコン機能を有する携帯電話機において、もともと設けられている赤外線送受信部を利用し、充電中に携帯電話機側との通信が可能である充電台を提供することにある。更に、充電中においてもテレビのリモコン機能が使用できる充電台を提供することにある。
【課題を解決するための手段】
【００１１】
本発明の充電台は、テレビのリモコンなどに用いる赤外線送受信部を具備した携帯電話機を充電する充電台において、前記携帯電話機を載置する充電台本体部と、前記充電台本体部に載置され充電状態にある前記携帯電話機の前記赤外線送受信部から発射される赤外線の光軸上に設けられた前記携帯電話機と交信するための充電台側赤外線送受信部とを備えている。
【００１２】
また、前記充電台側赤外線送受信部は、前記赤外線送受信部からの赤外線の光軸上の位置から光軸外の位置に移動できる切換機構を備えるようにしても良い。
更に、前記切換機構は、前記充電台側赤外線送受信部を前記赤外線送受信部からの赤外線の光軸上の位置から光軸外の位置に回動して移動し、それぞれ位置で弾性力により自動的に半固定される構造としても良い。
【００１３】
或いは、本発明の充電台は、テレビのリモコンなどに用いる赤外線送受信部を具備した携帯電話機を充電する充電台において、前記携帯電話機を載置する充電台本体部と、前記充電台本体部に載置され充電状態にある前記携帯電話機の前記赤外線送受信部からの赤外線の光軸上に設けられ前記赤外線を前記充電台本体部の外方向と内方向とに分光させるハーフミラーと、前記ハーフミラーにより内方向に分光された赤外線の光軸上に設けられた充電台側赤外線送受信部とを備えるようにしても良い。
【００１４】
或いは、本発明の充電台は、テレビのリモコンなどに用いる赤外線送受信部を具備した携帯電話機を充電する充電台において、前記携帯電話機を載置する充電台本体部と、前記充電台本体部に載置され充電状態に或る前記携帯電話機の前記赤外線送受信部からの赤外線の一部を受光できるように前記赤外線の光軸周辺に設けられた充電台側赤外線送受信部とを備えるようにしても良い。
【００１５】
尚、前記充電台本体部は、前記携帯電話機をその操作面を上にして載置可能な箱状の容器にして、載置され充電状態にある前記携帯電話機の前記赤外線送受信部からの赤外線の光軸上に前記充電台側赤外線送受信部或いは前記ハーフミラーを設置可能な構造を備えるようにしても良い。
【発明の効果】
【００１６】
本発明の充電台は、テレビのリモコン機能を有する携帯電話機において、もともと設けられている赤外線送受信部を利用し、充電中に携帯電話機側との通信を可能にする効果がある。
【００１７】
更に、充電中においても携帯電話機のテレビのリモコン機能が使用できるという効果がある。
【発明を実施するための最良の形態】
【００１８】
次に本発明の実施の形態について図面を参照して説明する。
【００１９】
図１は、本発明の第１の実施の形態例を示す斜視図、図２は、図１におけるＡ−Ａ線の断面図、図３は、本発明の第２の実施の形態例を示す断面図、本発明の第３の実施の形態例を示す断面図である。
【００２０】
先ず、図１，２を参照して第１の実施の形態例について説明する。図１において、充電台１に携帯電話機２を載置して充電中の状態を示すものである。携帯電話機２は折畳式でない固定式のもので、操作部２２を上にして載置され、その先端のアンテナ２３の取付面にテレビのリモコンなどに用いる赤外線送受信部２１が設けられている。この携帯電話機２を非充電時にテレビのリモコンとして使用する時は、操作部２２を上にして水平に持ち、その先端をテレビの方に向け操作部２２を操作して使用する。
【００２１】
充電台１は、携帯電話機２を載置する充電台本体１１と、充電台本体１１に載置され充電状態にある携帯電話機２の赤外線送受信部２１から発射される赤外線の光軸上に設けられ携帯電話機２と通信するための赤外線送受信部１２とを備えている。
【００２２】
そして赤外線送受信部１２は、図２に示すように赤外線送受信部２１からの赤外線の光軸上の位置（実線）から光軸外の位置（点線）に切換移動できるようになっている。即ち、赤外線送受信部１２は、ブロック１５に装着されており、ブロック１５は充電台本体１１にピン１３で回動可能に取り付けられており、その底面はバネ１４により上方向のテンションが加えられている。赤外線送受信部１２が装着されたブロック１５は、手で矢印方向に力を加えればその方向に回動し、点線で示したように、赤外線送受信部２１からの赤外線を外側（テレビ方向）に切り替えることができる。またこの逆方向（充電台側）の切換も可能である。この時それぞれの切換位置でバネ１４の弾性力により自動的に半固定される。
【００２３】
次に図１，２を参照して動作について説明する。携帯電話機２を充電したい時は、図示のように充電台１に携帯電話機２を載置すると、双方の充電用端子（図示せず）が接続されコード２４から充電電流が流れ充電が開始される。この充電中に携帯電話機２と充電台１側とが通信を行いたい時は、携帯電話機２の操作部２２から所定の操作を行うことにより、赤外線送受信部２１から赤外線信号が送信され、これを充電第１側の赤外線送受信部１２が受信し、電気信号に変換し内部の電子回路（図示せず）に送り、ここで必要なデータ処理が行われる。内部の電子回路からの応答信号などは逆のルートで携帯電話機２側に送信される。
【００２４】
また、充電中に携帯電話機２をテレビのリモコンとして使いたい時は、赤外線送受信部１２が装着されたブロック１５を、手で矢印方向に力を加えればその方向に回動するので、点線で示した位置にして、赤外線送受信部２１からの赤外線をテレビ方向に切り替える。
【００２５】
尚、充電中における携帯電話機２と充電台１側との通信及びテレビのリモコンとしての使用は、その消費電力を充電電源から取るので携帯電話機側の電池消耗が無いメリットがある。
【００２６】
また、本形態例は、赤外線送受信部１２の位置を切換可能な例で説明したが、充電中に携帯電話機２をテレビのリモコンとして使う必要がない場合は、赤外線送受信部１２の位置を図示の実線の位置で固定し切換機能を省略しても良い。
【００２７】
次に図３を参照して第２の実施の形態例について説明する。図３において，充電台３は、携帯電話機２を載置する充電台本体３１と、充電台本体３１に載置され充電状態にある携帯電話機２の赤外線送受信部２１からの赤外線の光軸上に設けられ赤外線を充電台本体３１の外方向と内方向とに分光させるハーフミラー３３と、ハーフミラー３３により内方向に分光された赤外線の光軸上に設けられた赤外線送受信部３２とを備えている。
【００２８】
次に同図を参照して動作について説明する。赤外線送受信部２１からの赤外線は、ハーフミラー３３により外方向と内方向に分光され、外方向に直進する赤外線はテレビ方向に行き、テレビのリモコン用として使用され、内方向に屈折する赤外線は充電台との通信に使用される。
【００２９】
即ち、本形態例は、テレビのリモコン用と充電台用との赤外線切換機構を用いていないので、構成が簡単になる特徴がある。しかし一方ハーフミラーを必要とするデミリットがある。
【００３０】
次に図４を参照して第３の実施の形態例について説明する。図４において，充電台４は、携帯電話機２を載置する充電台本体４１と、充電台本体４１に載置され充電状態にある携帯電話機２の赤外線送受信部２１からの赤外線の一部を受光できるように赤外線の光軸周辺に傾斜して設けられた赤外線送受信部４２とを備えている。
【００３１】
次に同図を参照して動作について説明する。赤外線送受信部２１からの赤外線成分は、その光軸に対して円形にある程度の広がり持っているので、外方向に直進する成分と赤外線送受信部４２に受信される成分とに分かれる。外方向に直進する成分はテレビのリモコン用として使用され、赤外線送受信部４２に受信される成分は充電台との通信に使用される。
【００３２】
即ち、本形態例は、テレビのリモコン用と充電台用との赤外線切換機構を用いていないので構成が簡単になる特徴があるが、しかし赤外線送受信部２１からの赤外線成分をハーフミラーなしに分光するので損失が大きく、伝送特性が若干不安定になるデミリットがある。
【００３３】
以上の各形態例は、携帯電話機を折り畳み式でない固定式のものについて記載したが、折り畳み式の携帯電話機であっても、充電台をその形状に合わせたものにすれば、同様に本発明を適応することができる。
【産業上の利用可能性】
【００３４】
テレビなど外部機器に対するリモコンの機能を有する携帯電話機用の充電台として広く利用できる。
【図面の簡単な説明】
【００３５】
【図１】本発明の第１の実施の形態例を示す斜視図である。
【図２】図におけるＡ−Ａ線の断面図である。
【図３】本発明の第２の実施の形態例を示す断面図である。
【図４】本発明の第３の実施の形態例を示す断面図である。
【図５】従来例を示す側面図である。
【符号の説明】
【００３６】
１，３，４    充電台
２    携帯電話機
１１，３１，４１    充電台本体
１２，３２，４２    赤外線送受信部
１３    ピン
１４    バネ
１５    ブロック
２１    赤外線送受信部
２２    操作部
２３    アンテナ
２４    コード
３３    ハーフミラー
【図１】
2005073109.tif 000003
【図２】
2005073109.tif 000004
【図３】
2005073109.tif 000005
【図４】
2005073109.tif 000006
【図５】
2005073109.tif 000007